(57)【要約】【解決手段】略矩形状のガラス板４の長手側面に、隣接したガラス板４の長手端部が当接するように平面略井桁形状に並べた濾過体３から成る。該濾過体３を複数段積み重ねてフィルター２を構成する。濾過体３の外側に向く各ガラス板４の長手端部の位置が上下の濾過体３で異なるように交互に積重する。該長手端部に接して各ガラス板４を長手方向に押圧せしめる押圧具５を備える。該押圧具５により、積重した濾過体３の上下で相接する各ガラス板４が長手方向に沿って交互に移動するように設けている。【効果】濾過体の構成を簡略化することにより使用後のメンテナンスが極めて容易な作業となる。濾過性能に優れる。【選択図】  図１
2005000895.tif 000002
【特許請求の範囲】
【請求項１】
略筒状の容器内に多数の濾過体を積重して平面略環体状のフィルターを形成し、該フィルターの外周から内周方向に滲出して濾過された処理液を、フィルター内周部に配した排出パイプで容器の排出口に排出するように設けた濾過装置において、濾過体は、矩形状のガラス板の長手側面に、隣接したガラス板の長手端部が当接するように平面略井桁形状に並べて形成され、該濾過体を複数段積重してフィルターを構成したことを特徴とする濾過装置。
【請求項２】
前記濾過体は、前記ガラス板の長手側面に当接したガラス板の濾過体外側に突出する長手端部の位置が上下の濾過体で異なるように交互に積重され、該長手端部に接して各ガラス板を長手方向に押圧せしめる押圧具を備え、該押圧具により、積重した濾過体の上下で相接する各ガラス板が長手方向に沿って交互に移動するように設けた請求項１記載の濾過装置。
【請求項３】
前記濾過体は、各ガラス板の長手両側面に接して該濾過体を支持する複数本の支持材の間に積重され、該支持材で各濾過体が水平に移動するように支持すると共に、積重した濾過体の下端部に、各濾過体の圧接力を調整しながら固定する圧着固定具を装着した請求項１又は２記載の濾過装置。
【請求項４】
前記押圧具は圧縮空気で膨張するエアーチューブにて設けられ、該エアーチューブの圧力によって前記濾過体のガラス板が水平移動するように設けた請求項１又は２記載の濾過装置。
【請求項５】
前記濾過体のガラス板の表面に凹状パターンを設け、該凹状パターン内に濾過された固形物が滞留するように設けた請求項１乃至４いずれか記載の濾過装置。
【発明の詳細な説明】
【０００１】
【発明の属する技術分野】
本発明は、多数の濾過体を積重したフィルターを使用する濾過装置に係るもので、特に濾過体の構造を簡略化し、メンテナンスを容易にすることができる濾過装置に関する。
【０００２】
【従来の技術】
液体に含まれる固形分を取除く濾過装置に関する出願が特許文献１に記載されている。この濾過装置は、筒状の容器内に、多孔質のパイプを設け、表面を粗面としたガラス板の多数枚を、その中央に設けた透孔で該パイプに嵌合させて積重状態で収納したものである。そして、ガラス板を濾過体として用い、この濾過体を積層状態にして圧接することで、ガラス板相互の間隙に固形物を捕捉する。
【０００３】
また、特許文献２に記載された積層フィルター装置及びその再生方法は、積層フィルターに捕捉された固形分を除去するように工夫されている。すなわち、リング状の第１濾過体と第２濾過体とが交互に複数枚積重された積層フィルターを設け、第１濾過体及び第２濾過体の外周に沿って回転可能な第１回転ガイドを設ける。更に、内周に沿って第１回転ガイドと逆方向に回転可能な第２回転ガイドを設ける。そして、再生処理時に伝導機構を介して第１回転ガイドと第２回転ガイドとを回転駆動させ、積層フィルター間に捕捉された固形分を除去するものである。
【０００４】
【特許文献１】
特公平７−６１４０５号公報
【特許文献２】
特開２００２−７９００９号公報
【０００５】
【発明が解決しようとする課題】
ところが、前記特許文献１に記載された濾過装置では、中央に設けたパイプに多数の濾過体として用いるガラス板を挿通して積重するもので、各ガラス板を略ドーナツ形状に設ける必要がある。したがって、このガラス板の加工に多くの工程や費用を要するものであった。しかも、濾過した後の濾過体のメンテナンスには、このドーナツ状のガラス板を一枚ずつパイプから外し、ガラス板の間に溜まった固形物を除去する必要があるので、極めて多くの手間を要する不都合がある。
【０００６】
また、前記特許文献２に記載された積層フィルター装置及びその再生方法は、リング状の第１濾過体と第２濾過体とを逆方向に回転駆動させることで、積層フィルターに捕捉された固形物を除去するものである。しかしながら、特許文献２の各濾過体は、前記特許文献１の濾過体と同様に略ドーナツ形状に設ける必要がある。しかも、回転ガイドを挿通する孔や凸部などを設ける必要もある。したがって、特許文献２に記載された濾過体の成形加工には、前記特許文献１より更に多くの工程や費用を要する不都合があった。
【０００７】
このように、前記特許文献１及び特許文献２で明らかなように従来の濾過装置では、フィルターとして用いる積層用の濾過体形状が複雑化しているために、製造コストが増加し、あるいは、濾過した後の濾過体のメンテナンスに多くの手間を要するものであった。
【０００８】
そこで本発明は、上述の課題を解消すべく創出されたもので、濾過体の構成を簡略化することにより使用後のメンテナンスが極めて容易な作業となり、しかも、濾過性能に優れる濾過装置の提供を目的とするものである。
【０００９】
【課題を解決するための手段】
上述の目的を達成すべく本発明の第１の手段は、略筒状の容器１内に多数の濾過体３を積重して平面略環体状のフィルター２を形成し、該フィルター２の外周から内周方向に滲出して濾過された処理液を、フィルター２内周部に配した排出パイプ４で容器１の排出口１Ａに排出するように設けた濾過装置において、濾過体３は、略矩形状のガラス板４の長手側面に、隣接したガラス板４の長手端部が当接するように平面略井桁形状に並べた濾過体３から成り、該濾過体３を複数段積み重ねてフィルター２を構成したことにある。
【００１０】
第２の手段の濾過体は、前記ガラス板４の長手側面に当接したガラス板４の濾過体３外側に突出する長手端部の位置が上下の濾過体３で異なるように交互に積重され、該長手端部に接して各ガラス板４を長手方向に押圧せしめる押圧具５を備え、該押圧具５により、積重した濾過体３の上下で相接する各ガラス板４が長手方向に沿って交互に移動するように設けている。
【００１１】
第３の手段の濾過体３は、各ガラス板４の長手両側面に接して該濾過体３を支持する複数本の支持材６の間に積重され、該支持材６で各濾過体３が水平に移動するように支持すると共に、積重した濾過体３の下端部に、各濾過体３の圧接力を調整しながら固定する圧着固定具７を装着する。
【００１２】
第４の手段の押圧具５は圧縮空気で膨張するエアーチューブ５Ａにて設けられ、該エアーチューブ５Ａの圧力によって前記濾過体３のガラス板４が水平移動するように設けている。
【００１３】
第５の手段は、濾過体３のガラス板４の表面に凹状パターン４Ａを設け、該凹状パターン４Ａ内に濾過された固形物が滞留するように設けたことを課題解消のための手段とする。
【００１４】
本発明によると、略長方形状のガラス板４を略井桁状に組み合わせることで濾過体を構成できるので、安価な提供が可能になる。また、メンテナンス時には、各濾過体３の圧接力を緩めて濾過体３の上下で相接したガラス板４をこすり合わせるように交互に水平移動させることで、ガラス板４間に捕捉された固形物Ｐの除去作業を容易にすることができる。
【００１５】
【発明の実施の形態】
以下、図面を参照して、本発明の実施の形態を詳細に説明する。
【００１６】
本発明濾過装置は、ガラス板４を略井桁形状に並べて濾過体３を形成し、この濾過体３を排出パイプ２の周囲に多数段積重してフィルターを形成するものである（図１参照）。
【００１７】
すなわち、フィルターは、略筒状の容器１内に収納されており、容器１の入口１Ａから容器１内に送られた濾過液を、略環体状に積重した濾過体３の外周から内周方向に滲出せしめて濾過する（図２参照）。濾過処理された液体は、濾過体３の中心部分に配置され、側面に多数の吸入孔を設けた排出パイプ２を経て容器１の出口１Ｂから排出するように設けている。
【００１８】
濾過体３は、略矩形状のガラス板４の長手側面に、隣接したガラス板４の長手端部が当接するように平面略井桁形状に並べることで形成し、更に、該濾過体３を複数段積み重ねてフィルター２を構成する（図３、図４参照）。図示の濾過体３は、長方形状のガラス板４を並べているが、濾過体３を構成するガラス板４の枚数は任意に増減することが可能である。
【００１９】
更に濾過体３は、前記ガラス板４の長手側面に当接したガラス板４の濾過体３外側に突出する長手端部の位置が、上下の濾過体３で異なるように交互に積重されている（図５、図６参照）。すなわち、濾過体３の外側に向いて突出するガラス板４の端部が、一枚おきに重なるように積重するもので、このガラス板４の突出した長手端部に接するように押圧具５を配置する（図５参照）。
【００２０】
押圧具５は、各ガラス板４を長手方向に押圧せしめるもので、各ガラス板４の突出した端部を、夫々押圧具５で押圧すると、積重した濾過体３の上下で相接する各ガラス板４が、夫々長手方向に沿って移動することになる。メンテナンス時において、相接する各ガラス板４をこすり合わせるように水平移動することで、ガラス板４間に捕捉された固形物を容易に除去することができる。
【００２１】
この押圧具５として、エアーチューブ５Ａ、回転用のカム５Ｂ、振動するロッド５Ｃ、クランク５Ｄなどが使用される。図５に示す押圧具５は、濾過体３を囲む枠体８の内部に、圧縮空気で膨張するエアーチューブ５Ａを使用した押圧具５である。この場合、エアーチューブ５Ａが膨出する圧力によって前記濾過体３のガラス板４が水平移動する。
【００２２】
一方、図７に示す押圧具５は、回転するカム５Ｂを使用している。このカム５Ｂがガラス板４端部に接しながら回転することで、ガラス板４を長手方向に押圧する。また、図８に示す押圧具５は、クランク５Ｃを使用している。このクランク５Ｃは、突出したガラス板４端部に挿通孔４Ｂを開穿し、側面略波形状に屈曲したクランク５Ｃをこの挿通孔４Ｂに挿通すると共に、クランク５Ｃを回転させることで、各ガラス板４を長手方向に沿って移動せしめるものである。尚、クランク５Ｃを挿通する挿通孔４Ｂは、長孔状に形成する必要がある。更に、他の押圧具５として、ガラス板４に振動を与えられるものでもよい（図示せず）。すなわち、振動する押圧具５をガラス板４端部に接しても固形物Ｐを除去することが可能である。
【００２３】
支持材６は、濾過体３を支持する部材で、各ガラス板４の長手両側面に接して積重した濾過体３を支持する棒体状を成す（図５参照）。濾過体３は、複数本の支持材６の間に積重されているので、前記押圧具５にてガラス板４を長手方向に押圧すると、各濾過体３が水平に移動する。このとき、ガラス板４移動時の損傷を防止すると共に、ガラス板４の移動を容易にする為に、ガラス板４との接触部に弾性を有する支持材６の使用が好ましい。図示の支持材６は、金属ロッド６Ａの側面に弾性チューブ６Ｂを被覆した支持材６を使用している。
【００２４】
圧着固定具７は、各濾過体３の圧接力を調整しながら濾過体３を固定する。この圧着固定具７は、積層した濾過体３の下端部に装着している。図２に示す圧着固定具７は、エアーチューブ７Ｂを用いている。このエアーチューブ７Ｂは、濾過体３を載置する支持板体８と、支持材６の下端部にネジ止めした固定ナット９との間に載置板１０を装着し、この載置板１０上にエアーチューブ７Ｂの長手側面を接するように載置している。更に、このエアーチューブ７Ｂは、支持板体８の下面から、容器１の上部開口部を施蓋するフランジ１Ｃを貫通してエアーコンプレッサーに繋がれている。そして、エアーチューブ７Ｂの膨出圧力で支持板体８を持ち上げ、濾過体３の積層圧力を調整するものである。また、このエアーチューブ７Ｂに替えてバネ材等の弾性材を圧着固定具７として使用することも可能である（図示せず）。
【００２５】
濾過体３を構成するガラス板４の表面には、濾過体３で濾過した固形物Ｐが滞留する凹状パターン４Ａを形成している。図９は、凹状パターン４Ａの一実施例を示している。この凹状パターン４Ａは、ガラス板４が相接する面で濾過した固形物Ｐをガラス板４の表面に滞留させる効果がある。図示の凹状パターン４Ａは、ガラス板４の上面にエッチングで形成したもので、凹状パターン４Ａを形成していない部分が凸部４Ｃとして残り、この凸部４Ｃが一筆書き状に形成されている。すなわち、この凸部４Ｃに接する上部のガラス板４の下面と、この凸部４Ｃとの間隙を通過できない固形物Ｐが、ガラス板４上部の凹状パターン４Ａ内に滞留し蓄積される（図１０参照）。このように、ガラス板４の凸部４Ｃが濾過時の固形物Ｐを堰き止めるので、凸部４Ｃの距離が長くなるように凹状パターン４Ａを形成するほど効果的である。そして、蓄積された固形物を濾過体３から洗浄するには、濾過体３の圧接力を解除した状態で、洗浄水を送りながら前記押圧具５でガラス板４をすり合わせるように移動せしめると、この凹状パターン４Ａに蓄積された固形物Ｐが容易に排出されるものである。
【００２６】
【発明の効果】
本発明は、上述の如く構成したことにより、当初の目的を達成した。
【００２７】
すなわち、略矩形状のガラス板４の長手側面に、隣接したガラス板４の長手端部が当接するように平面略井桁形状に並べて濾過体３を形成し、該濾過体３を複数段積み重ねてフィルターを構成したことにより、濾過体３の構成において排出パイプ２を通す孔は不用になり、濾過体の構成を簡略化することができた。
【００２８】
また、濾過体３には、前記濾過体３の外側に向く各ガラス板４の長手端部を長手方向に押圧せしめる押圧具５を備えてあり、該押圧具５により、積重した濾過体３の上下で相接する各ガラス板４が長手方向に沿って交互に振動するように設けているので、メンテナンス時には、押圧具５を操作することで、濾過体３相互間に捕捉された懸濁物を除去することが可能になる。この結果、使用後のメンテナンス作業を極めて簡略化することができる。
【００２９】
更に、濾過体３は、複数本の支持材６の間に積重され、積層した濾過体３の下端部に、各濾過体３の圧接力を調整しながら固定する圧着固定具７を装着することで、使用時とメンテナンス時とで濾過体３の圧力を変えることができ、メンテナンス作業を容易にしている。
【００３０】
また、押圧具５は圧縮空気で膨張するエアーチューブ５Ａにて設けられ、エアーチューブ５Ａの圧力によって前記濾過体３のガラス板４が水平移動するように設けると、メンテナンス時において、押圧具５によるガラス板４の損傷を防止することができる。
【００３１】
そして、濾過体３のガラス板４の表面に、凹状パターン４Ａを設けることで、ガラス板４相互で捕捉可能な固形物Ｐの量が増加し、優れた濾過性能を有するものになる。
【００３２】
このように本発明によると、濾過体の構成を簡略化することにより使用後のメンテナンスが極めて容易な作業となり、しかも、濾過性能に優れるなどといった有益な種々の効果を奏するものである。
【図面の簡単な説明】
【図１】本発明の一実施例を示す一部切り欠き平面図。
【図２】本発明の一実施例を示す縦断面図。
【図３】本発明の濾過体におけるガラス板の一実施例を示す要部斜視図。
【図４】本発明の濾過体の一実施例を示す要部斜視図。
【図５】本発明の濾過体の一実施例を示す平面図。
【図６】本発明の濾過体の一実施例を示す要部縦断面図。
【図７】本発明における押圧具の他の実施例を示す要部平面図。
【図８】本発明における押圧具の他の実施例を示す要部正面図。
【図９】本発明におけるガラス板の凹状パターンの一実施例を示す
【図１０】本発明における凹状パターンの積層状態を示す要部縦断面図。
【符号の説明】
Ｐ  固形物
１  容器
２  排出パイプ
３  濾過体
４  ガラス板      ４Ａ  凹状パターン
５  押圧具        ５Ａ  エアーチューブ
５Ｂ  カム
５Ｄ  クランク
６  支持材
７  圧着固定具
８  支持板体
９  固定ナット
１０  載置板
１１  枠体
【図１】
2005000895.tif 000003
【図２】
2005000895.tif 000004
【図３】
2005000895.tif 000005
【図４】
2005000895.tif 000006
【図５】
2005000895.tif 000007
【図６】
2005000895.tif 000008
【図７】
2005000895.tif 000009
【図８】
2005000895.tif 000010
【図９】
2005000895.tif 000011
【図１０】
2005000895.tif 000012